(57)【特許請求の範囲】
【請求項１】
ボール部を設けた洗面ボールの側方にキャビネットを隣接させて設けた洗面台であって、ボール部の背方において洗面ボールの上面に背方防水壁を立設すると共にボール部の側方において洗面ボールの上面に側方防水壁を立設し、洗面ボールの上面よりも上側に突出するキャビネットの側面に沿わせて側方防水壁を配置し、キャビネットと別体のカウンターを本体部と延設部とで平面視で略Ｌ字状に形成し、本体部をキャビネットの上面に、延設部を背方防水壁の上側にそれぞれ配置し、手前側とボール部側にカウンターを突出させて成ることを特徴とする洗面台。
【請求項２】
洗面ボールの上面にカラン取り付け部を形成すると共にカラン取り付け部のボール部側の面にカランを突設し、カラン取り付け部のボール部側の面をボール部に向かって下り傾斜する傾斜面として形成して成ることを特徴とする請求項１に記載の洗面台。
【発明の詳細な説明】
【０００１】
【発明の属する技術分野】
本発明は、洗面をしたり化粧をしたりする際に用いられる洗面台に関するものである。
【０００２】
【従来の技術】
図３に従来から用いられている洗面台（洗面化粧台）の一例を示す。この洗面台は、ボール部１を設けた洗面ボール２の一方の側方にキャビネット３を隣接させて設け、洗面ボール２の他方の側方に棚部１０を形成し、洗面ボール２の背方に鏡部１１を設けて形成されている。またボール部１の背方において洗面ボール２の上面には、湯水を吐出するカラン８とカラン８からの湯水の吐出量を調整する操作具１３が設けられている。
【０００３】
このように形成される洗面台であって、ボール部１の周辺の洗面ボール２の上面やキャビネット３の上面は、ボール部１の上面の開口とほぼ同じ高さ位置かボール部１の上面の開口よりも低い位置に設定されているために、洗面動作などでボール部１で湯水を使用すると、洗面ボール２の上面やキャビネット３の上面に置いた物が濡れるという問題があった。
【０００４】
そこで、洗面ボール２の上方に小物を置くための台を別途設けたり、図４に示すように、鏡部１１の側方に小棚部１４を別途設けたりし、ここに物を置いて濡れないようにすることが行われているが、この場合、小さな物が置ける程度の小スペースしか確保することができないという問題があった。
【０００５】
【発明が解決しようとする課題】
本発明は上記の点に鑑みてなされたものであり、水に濡れずに物が置ける大きなスペースを確保することができる洗面台を提供することを目的とするものである。
【０００６】
【課題を解決するための手段】
本発明の請求項１に係る洗面台は、ボール部１を設けた洗面ボール２の側方にキャビネット３を隣接させて設けた洗面台であって、ボール部１の背方において洗面ボール２の上面に背方防水壁４を立設すると共にボール部１の側方において洗面ボール２の上面に側方防水壁５を立設し、洗面ボール２の上面よりも上側に突出するキャビネット３の側面に沿わせて側方防水壁５を配置し、キャビネット３と別体のカウンター６を本体部６ａと延設部６ｂとで平面視で略Ｌ字状に形成し、本体部６ａをキャビネット３の上面に、延設部６ｂを背方防水壁４の上側にそれぞれ配置し、手前側とボール部１側にカウンター６を突出させて成ることを特徴とするものである。
【０００７】
また本発明の請求項２に係る洗面台は、請求項１の構成に加えて、洗面ボール２の上面にカラン取り付け部７を形成すると共にカラン取り付け部７のボール部１側の面にカラン８を突設し、カラン取り付け部７のボール部１側の面をボール部１に向かって下り傾斜する傾斜面９として形成して成ることを特徴とするものである。
【０００８】
【発明の実施の形態】
以下、本発明の実施の形態を説明する。
【０００９】
図１及び図２（ａ）（ｂ）に示すように、本発明の洗面台は洗面ボール２の一方の側方にキャビネット３を隣接させて設けて形成されている。洗面ボール２は排水設備などが収納される基台２０の上面に設置されており、陶器あるいは樹脂成型品で形成されている。洗面ボール２の略中央部には、上面に開口部２５を有するボール部１が凹設されており、ボール部１の周囲には略平板状の天板部２１が一体に延設されている。またボール部１の背方において天板部２１の上面には、背方防水壁４が天板部２１の幅方向のほぼ全長に亘って立設されていると共に、ボール部１のキャビネット３側の側方において天板部２１の上面には、側方防水壁５が天板部２１の前後方向のほぼ全長に亘って立設されている。この背方防水壁４及び側方防水壁５は天板部２１に一体に延設されている。
【００１０】
さらにボール部１の開口部２５の背方で背方防水壁４の正面側、つまりボール部１の開口部２５の後側縁部と背方防水壁４の間において天板部２１の上面にはカラン取り付け部７が一体に形成されている。カラン取り付け部７の正面（前面）は、ボール部１の開口部２５の後側縁部と背方防水壁４の上端に亘って形成されており、背方防水壁４の上端からボール部１の開口部２５の後側縁部に向かって下り傾斜する傾斜面９として形成されている。そしてこの傾斜面９には、湯水を吐出するカラン８やカラン８からの湯水の吐出量を調整する操作具１３などが突出して設けられている。
【００１１】
キャビネット３は、箱状に形成されるキャビネット本体２６の正面（前面）に引き出し開口２７を設け、引き出し開口２７に複数個の引き出し２８をキャビネット本体２６に出し入れ自在に設け、キャビネット本体２６の上側にカウンター６を配置して形成されている。このカウンター６は、キャビネット本体２６の上面の形状とほぼ同形に形成される本体部６ａに、細長い形状の延設部６ｂを一体に延設して平面視で略Ｌ字状に形成されており、本体部６ａがキャビネット本体２６の上面に載置されている。またキャビネット３は洗面ボール２よりも高く形成されている。
【００１２】
そして、洗面ボール２の側面にキャビネット３の側面を密着させて洗面ボール２とキャビネット３を横に並べて配置し、カウンター６の延設部６ｂを背方防水壁４の上側に背方防水壁４の全長に亘って配置することによって、本発明の洗面台が形成される。この洗面台にあって、キャビネット３は洗面ボール２よりも高く形成されているので、キャビネット３の洗面ボール２の方に向く側面の上部は、洗面ボール２の天板部２１の上面よりも上側に突出するが、このキャビネット３の側面の上部には側方防水壁５が沿って密着するように配置されている。従って、キャビネット３の洗面ボール２の方に向く側面の上部は、側方防水壁５で覆われて露出しないようになっている。
【００１３】
上記のように本発明の洗面台は、洗面ボール２の側方に洗面ボール２よりも高いキャビネット３を隣接させて配設し、キャビネット３の上側にカウンター６を設けたので、洗面ボール２のボール部１の開口部２５よりもカウンター６の上面を高く位置させることができ、ボール部１で洗面動作を行ってもカウンター６の上側にまで湯水が達しにくくすることができるものであり、カウンター６の上側を水に濡れずに物が置けるスペースとして利用することができるものである。またカウンター６の本体部６ａの上側と延設部６ｂの上側の両方、つまり洗面ボール２の背方と側方の両方に、水に濡れずに物が置けるスペースを形成することができ、しかもキャビネット３の上側の全体を水に濡れずに物が置けるスペースを形成することができ、従来の洗面台に比べて、水に濡れずに物が置けるスペースを大きく確保することができるものである。そしてボール部１の周囲における天板部２１の上側は、石鹸などの濡れても良い物を置くためのウェットゾーンとし、カウンター６の上側は化粧品などの濡れてはいけない物を置くためのドライゾーンとすることができ、濡れても良い物を置く場所と濡れてはいけない物を置く場所を明確に分離することができるものである。
【００１４】
またボール部１の背方と側方に背方防水壁４と側方防水壁５を立設したので、水跳ねにより洗面ボール２の背方及び側方に湯水が達するのを背方防水壁４と側方防水壁５で防止することができ、防水性を高くすることができるものである。
しかも、洗面ボール２よりも上側に突出するキャビネット３の側面の上部は、側方防水壁５で覆われるために、キャビネット３の防水性も高くすることができるものである。そして背方防水壁４と側方防水壁５を立設することによって防水性を高くしたので、周囲に水が跳ねないようにしてボール部１を丸ごと水洗いすることができ、手入れを容易に行う（お手入れ性を向上させる）ことができるものである。
【００１５】
さらにボール部１の後側の天板部２１の上面にカラン取り付け部７を形成し、カラン取り付け部７の前面を傾斜面９に形成し、この傾斜面９にカラン８を突出して設けたので、カラン８はボール部１よりも高い位置に設置することができると共に傾斜面９によりカラン取り付け部７に付着した湯水をボール部１に流下させることができ、カラン８の周辺に水たまりができにくくなって、手入れを容易に行う（お手入れ性を向上させる）ことができるものである。またキャビネット３の高さを従来のものより高く形成するので、高くなった部分に引き出しなどを配置することができ、キャビネット３の容量を増やすことができるものである。
【００１６】
【発明の効果】
上記のように本発明の請求項１の発明は、ボール部を設けた洗面ボールの側方にキャビネットを隣接させて設けた洗面台であって、ボール部の背方において洗面ボールの上面に背方防水壁を立設すると共にボール部の側方において洗面ボールの上面に側方防水壁を立設し、洗面ボールの上面よりも上側に突出するキャビネットの側面に沿わせて側方防水壁を配置し、キャビネットと別体のカウンターを本体部と延設部とで平面視で略Ｌ字状に形成し、本体部をキャビネットの上面に、延設部を背方防水壁の上側にそれぞれ配置し、手前側とボール部側にカウンターを突出させたので、洗面ボールのボール部よりもカウンターの上面を高く位置させることができ、ボール部で洗面動作を行ってもカウンターの上側にまで湯水が達しにくくすることができるものであり、カウンターの上側を水に濡れずに物が置けるスペースとして利用することができるものである。しかもキャビネットの上側の全体を水に濡れずに物が置けるスペースを形成することができ、水に濡れずに物が置けるスペースを大きく確保することができるものである。
【００１７】
また本発明の請求項２の発明は、洗面ボールの上面にカラン取り付け部を形成すると共にカラン取り付け部のボール部側の面にカランを突設し、カラン取り付け部のボール部側の面をボール部に向かって下り傾斜する傾斜面として形成したので、カランをボール部よりも高い位置に設置することができると共に傾斜面によりカラン取り付け部に付着した湯水をボール部に流下させることができ、カランの周辺に水たまりができにくくなって、手入れを容易に行うことができるものである。
【図面の簡単な説明】
【図１】本発明の実施の形態の一例を示す斜視図である。
【図２】同上の（ａ）は平面図、（ｂ）は正面図である。
【図３】従来例を示す斜視図である。
【図４】他の従来例を示す斜視図である。
【符号の説明】
１  ボール部
２  洗面ボール
３  キャビネット
４  背方防水壁
５  側方防水壁
６  カウンター
６ａ  本体部
６ｂ  延設部
７  カラン取り付け部
８  カラン
９  傾斜面
【図１】
0003709722.tif 000002
【図２】
0003709722.tif 000003
【図３】
0003709722.tif 000004
【図４】
0003709722.tif 000005